(57)【要約】      （修正有）【課題】重り部材を保護するための緩衝部を備えるダンベル装置を提供する。【解決手段】ダンベル装置は、ダンベル本体２と緩衝部４を備える。緩衝部４は第１の緩衝要素４０と第２の緩衝要素４１を備える。第１の緩衝要素４０は第１の重り部材２０に取り付けられ、第１の緩衝要素４０は、第１の重り部材２０の外径よりも大きい外径を有する壁部材４３を備える。第１の緩衝要素４０は、第１の緩衝要素４０内にチャンバ４２を形成し、第１の重り部材２０を受け入れるために、壁部材４３の外周部分に設けられたフランジ４４と、第１の重り部材２０と係合するために、壁部材４３から延在する締結部材４５と、を備える。ダンベル装置は、重り部材２０、２１に取り付けられる１つまたは複数の緩衝要素４０、４１を備え、重り部材２０、２１を緩衝し保護する。これにより、重り部材２０、２１が地面または支持面に衝突するのを防止する。【選択図】図１
0003231022.tif 000002
【実用新案登録請求の範囲】
【請求項１】
第１の緩衝要素は第１の重り部材に取り付けられ、前記第１の緩衝要素は前記第１の重り部材の外径よりも大きい外径を含む前記第１の重り部材を備えることを特徴とするダンベル装置。
【請求項２】
前記第１の緩衝要素は、前記第１の重り部材の外径よりも大きい外径を有する壁部材を備えることを特徴とする請求項１に記載のダンベル装置。
【請求項３】
前記第１の緩衝要素は、前記第１の緩衝要素内にチャンバを形成し、前記第１の重り部材を受け入れるために、前記壁部材の外周部分に設けられたフランジと、
前記第１の重り部材と係合するために、前記壁部材から延在する締結部材と、を備えることを特徴とする請求項２に記載のダンベル装置。
【請求項４】
第２の重り部材と、
前記第１の重り部材と前記第２の重り部材との間に係合されたハンドル機構と、
前記第２の重り部材に取り付けられた第２の緩衝要素と、を備えることを特徴とする請求項１に記載のダンベル装置。
【請求項５】
前記第２の緩衝要素は、前記第２の重り部材の外径よりも大きい外径を有する壁部材と、
前記壁部材の外周部に設けられ、前記第２の緩衝要素内にチャンバを形成し、前記第２の重り部材を受け入れるフランジと、
前記壁部材から延びて前記第２の重り部材と係合する締結部材と、を備えることを特徴とする請求項４に記載のダンベル装置。
【考案の詳細な説明】
【技術分野】
【０００１】
本考案は、重り部材を保護するための緩衝部を備えるダンベル装置に関するものである。
【背景技術】
【０００２】
従来のダンベル装置は、多数の重りリングまたは重り部材を備える。
【考案の概要】
【考案が解決しようとする課題】
【０００３】
重りリングまたは重り部材はユーザから離脱する良好な機会を有することができ、地面にぶつかったり、ユーザを傷つけたりすることがある。
本考案は、上述に鑑みてなされたものであり、その目的は、重り部材を保護するためのダンベル装置を提供することにある。
【課題を解決するための手段】
【０００４】
本考案のダンベル装置は、第１の緩衝要素は第１の重り部材に取り付けられ、前記第１の緩衝要素は前記第１の重り部材の外径よりも大きい外径を含む前記第１の重り部材を備える。
【０００５】
ダンベル装置は、重り部材に取り付けられる１つまたは複数の緩衝要素を備え、緩衝部は重り部材を緩衝し保護する。重り部材と重り部材に取り付けられた緩衝要素とを備え、緩衝要素は緩衝要素が重り部材から突出することを可能にし、緩衝要素は重り部材の外径よりも大きい外径を備える。これにより、重り部材が地面または支持面に衝突することを防止する効果がある。
【０００６】
緩衝要素は、重り部材よりも大きな外径を有する壁部材を備え、緩衝要素内にチャンバを形成し、壁部材の外周部に形成されたフランジを備える。これにより、重り部材を受け入れる効果がある。
【図面の簡単な説明】
【０００７】
【図１】本考案の一実施形態のダンベル装置の部分分解図である。
【図２】本考案の一実施形態のダンベル装置の部分分解図である。
【図３】本考案の一実施形態のダンベル装置の部分斜視図である。
【図４】本考案の一実施形態のダンベル装置のダンベル本体の部分斜視図である。
【図５】本考案の一実施形態のダンベル装置のダンベル本体の平面図である。
【考案を実施するための形態】
【０００８】
以下、本考案による実施形態を図面に基づいて説明する。
【０００９】
（一実施形態）
本考案のダンベル装置は、ダンベル本体とダンベル緩衝部を備える。
図１から図３に示すように、ダンベル装置は、支持基部１０と、支持基部１０上に支持され、各々が第１のグループの重りリング及び第２のグループの重りリングまたは第１の重り部材２０及び第２の重り部材２１を備えるダンベル装置またはダンベル本体２と係合するための１つまたは複数の区画１３と、第１の重り部材２０及び第２の重り部材２１を互いに連結するために第１の重り部材２０及び第２の重り部材２１の間に係合されるハンドル機構３０とを含む１つまたは複数のレセプタクル１１と、を備える。
【００１０】
緩衝部４は第１の重り部材２０及び第２の重り部材２１を緩衝し保護し、第１の重り部材２０及び第２の重り部材２１が地面または支持面９０（図５参照）に衝突するのを防止するために、第１の重り部材２０及び第２の重り部材２１に取り付けられる１つまたは複数の第１の緩衝要素４０及び第２の緩衝要素４１を備える。
【００１１】
第１の緩衝要素４０及び第２の緩衝要素４１はそれぞれ、壁部材４３によって形成されたチャンバ４２と、第１の重り部材２０及び第２の重り部材２１と係合するためのフランジ４４とを備え、それぞれ、最外側の第１の重り部材２０及び第２の重り部材２１と係合するため、及び第１の緩衝要素４０及び第２の緩衝要素４１を第１の重り部材２０及び第２の重り部材２１に取り付けるための、壁部材４３の中心部分から延長されたボルトまたは締結部材４５を備える。
【００１２】
図３から図５に示すように、フランジ４４は壁部材４３の外周部に形成されており、第１の重り部材２０及び第２の重り部材２１は壁部材４３またはフランジ４４の外径よりも小さい外径をそれぞれ有している。
図５に示すように、壁部材４３及びフランジ４４はフランジ４４または壁部材４３を第１の重り部材２０及び第２の重り部材２１の外に延出させるための第１の重り部材２０及び第２の重り部材２１よりも大きい外径を有している。
【００１３】
図５に示すように、動作中、ダンベル本体２の第１の重り部材２０及び第２の重り部材２１がユーザの手から不注意に離脱すると、第１の重り部材２０及び第２の重り部材２１は地面または支持面９０にぶつかる可能性が高くなり、地面または支持面９０と重り部材２０、２１の両方が損傷する可能性がある。
本実施形態によると、第１の重り部材２０及び第２の重り部材２１から突出する第１の緩衝要素４０及び第２の緩衝要素４１は第１の重り部材２０及び第２の重り部材２１を緩衝し、保護し、第１の重り部材２０及び第２の重り部材２１が地面または支持面９０に衝突するのを防止する。
【００１４】
以上、本考案は、上記実施形態になんら限定されるものではなく、考案の趣旨を逸脱しない範囲において種々の実施形態で実施可能である。
【符号の説明】
【００１５】
２ダンベル本体、
４緩衝部、
１０支持基部、
１１レセプタクル、
１３区画、
２０第１の重り部材、
２１第２の重り部材、
４０第１の緩衝要素、
４１第２の緩衝要素、
４２チャンバ、
４３壁部材、
４４フランジ、
４５締結部材、
９０支持面。
【図１】
0003231022.tif 000003
【図２】
0003231022.tif 000004
【図３】
0003231022.tif 000005
【図４】
0003231022.tif 000006
【図５】
0003231022.tif 000007